(57)【要約】【課題】ユーザが詳細な天気の移り変わりを把握したい状況で、天気の移り変わりの詳細な内容を案内することを可能にした情報提供システム、情報提供方法及びコンピュータプログラムを提供する。【解決手段】所定の設定時間間隔で複数の案内時刻ｔを設定し、複数の案内時刻ｔにおける車両の位置を、該車両の位置を含む地図画像に重畳して案内時刻ｔの経時順に切り替えて液晶ディスプレイ１５に順次表示するとともに、案内時刻における天気情報を示す天気画像を、対応する案内時刻の地図画像に重畳して表示する。また、予測される今後の車両の位置において天気が変化する時刻である天気変化時刻を特定し、天気変化時刻に近い時刻程、案内時刻ｔの設定時間間隔を短くするように構成する。【選択図】図１０
2017083278.tif 000002
【特許請求の範囲】
【請求項１】
今後の時間経過に伴う移動体の位置を予測する位置予測手段と、
所定の設定時間間隔で複数の案内時刻を設定する案内時刻設定手段と、
前記位置予測手段により予測された前記移動体の位置の内、前記複数の案内時刻における前記移動体の位置を、該移動体の位置を含む地図画像に重畳して前記案内時刻の経時順に切り替えて表示装置に順次表示する地図画像表示手段と、
前記表示装置に前記地図画像が表示された領域である表示対象領域に関する天気情報を取得する天気情報取得手段と、
前記案内時刻における天気情報を示す天気画像を、対応する案内時刻の前記地図画像に重畳して表示する天気画像表示手段と、
前記位置予測手段により予測された前記移動体の位置において天気が変化する天気変化時刻を特定する天気変化時刻特定手段と、を有し、
前記案内時刻設定手段は、前記天気変化時刻に近い時刻程、前記設定時間間隔を短くして前記案内時刻を設定する情報提供システム。
【請求項２】
前記案内時刻設定手段は、
前記天気変化時刻の前後所定時間以内を除いて第１時間間隔で前記案内時刻を設定し、
前記天気変化時刻の前後所定時間以内では第１時間間隔より短い第２時間間隔で前記案内時刻を設定する請求項１に記載の情報提供システム。
【請求項３】
前記地図画像表示手段は、前記設定時間間隔が前記第１時間間隔から前記第２時間間隔へと変更される案内時刻における前記移動体の位置を表示する際に、前記表示装置における画像の切り替えを一定時間停止する請求項２に記載の情報提供システム。
【請求項４】
前記天気変化時刻特定手段は、
前記位置予測手段により予測された前記移動体の各位置において前記移動体が到達する時刻の天気情報を取得し、
取得された前記天気情報に基づいて特定される天気を経時順に配列した場合に、天気が変化する時刻を前記天気変化時刻に特定する請求項１乃至請求項３のいずれかに記載の情報提供システム。
【請求項５】
前記地図画像表示手段によって表示される前記移動体の位置の天気が天候不順である場合に、前記移動体の位置周辺にある施設を案内する施設案内手段を有する請求項１乃至請求項４のいずれかに記載の情報提供システム。
【請求項６】
前記施設案内手段は、前記移動体の位置周辺にある施設の内、屋内型の施設を案内対象とする請求項５に記載の情報提供システム。
【請求項７】
位置予測手段が、今後の時間経過に伴う移動体の位置を予測するステップと、
案内時刻設定手段が、所定の設定時間間隔で複数の案内時刻を設定するステップと、
地図画像表示手段が、前記位置予測手段により予測された前記移動体の位置の内、前記複数の案内時刻における前記移動体の位置を、該移動体の位置を含む地図画像に重畳して前記案内時刻の経時順に切り替えて表示装置に順次表示するステップと、
天気情報取得手段が、前記表示装置に前記地図画像が表示された領域である表示対象領域に関する天気情報を取得するステップと、
天気画像表示手段が、前記案内時刻における天気情報を示す天気画像を、対応する案内時刻の前記地図画像に重畳して表示するステップと、
天気変化時刻特定手段が、前記位置予測手段により予測された前記移動体の位置において天気が変化する天気変化時刻を特定するステップと、を有し、
前記案内時刻設定手段は、前記天気変化時刻に近い時刻程、前記設定時間間隔を短くして前記案内時刻を設定する情報提供方法。
【請求項８】
コンピュータを、
今後の時間経過に伴う移動体の位置を予測する位置予測手段と、
所定の設定時間間隔で複数の案内時刻を設定する案内時刻設定手段と、
前記位置予測手段により予測された前記移動体の位置の内、前記複数の案内時刻における前記移動体の位置を、該移動体の位置を含む地図画像に重畳して前記案内時刻の経時順に切り替えて表示装置に順次表示する地図画像表示手段と、
前記表示装置に前記地図画像が表示された領域である表示対象領域に関する天気情報を取得する天気情報取得手段と、
前記案内時刻における天気情報を示す天気画像を、対応する案内時刻の前記地図画像に重畳して表示する天気画像表示手段と、
前記位置予測手段により予測された前記移動体の位置において天気が変化する天気変化時刻を特定する天気変化時刻特定手段と、して機能させる為のコンピュータプログラムであって、
前記案内時刻設定手段は、前記天気変化時刻に近い時刻程、前記設定時間間隔を短くして前記案内時刻を設定するコンピュータプログラム。
【発明の詳細な説明】
【技術分野】
【０００１】
本発明は、地図画像と天気情報を組み合わせて情報の提供を行う情報提供システム、情報提供方法及びコンピュータプログラムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。また、近年は携帯電話機、スマートフォン、タブレット型端末、パーソナルコンピュータ等においても上記ナビゲーション装置と同様の機能を有するものがある。
【０００３】
ここで、上記ナビゲーション装置等では、地図画像を表示するのみではなく、地図画像と組み合わせることによって、ユーザにとって有用となる様々な情報を提供することについても行われている。そのような情報の一つとして天気情報がある。例えば、特開２００３−１２１１７２号公報には、車両の現在位置周辺の地図画像を表示する場合に、地図画像に重畳して地図画像の表示されている領域の降水量や降水確率を示す画像を表示する技術について提案されている。また、画面に表示されたメニューバーが操作された場合に、今後に予測される降水量や降水確率を示す画像を経時順に切り替えて表示することによって、今後の天気の移り変わりを案内することについても提案されている。
【先行技術文献】
【特許文献】
【０００４】
【特許文献１】２００３−１２１１７２号公報（第６−７頁、図７）
【発明の概要】
【発明が解決しようとする課題】
【０００５】
ここで、経時順に天気画像を切り替えることによって今後の天気の移り変わりを案内する場合には、天気の案内対象となる時刻（以下、案内時刻という）をどの適度の間隔に設定するかが重要である。ここで、案内時刻の間隔を広く（例えば３０分間隔）すれば、より短い時間で広い時間帯の天気の案内を行うことが可能であるが、詳細な天気の移り変わりの状況を案内することができない。一方で、案内時刻の間隔を狭く（例えば５分間隔）すれば、より詳細な天気の移り変わりの状況を案内することが可能であるが、案内に時間がかかる問題がある。
【０００６】
そして、上記特許文献１の技術では天気が今後どのように変化するかに関わらず、案内時刻の間隔は常に固定であった。具体的には、案内時刻を１時間間隔で設定しており、１時間毎の天気情報を示す天気画像が経時順に表示されていた。その結果、例えば近い将来において天気が急変する場合等のユーザが詳細な天気の移り変わりを把握したい状況においても、１時間単位で天気画像が切り替わる為、ユーザに対して適切な案内を行うことができない問題があった。
【０００７】
本発明は前記従来における問題点を解消するためになされたものであり、地図画像に今後の天気の移り変わりを示す天気画像を重畳して表示する場合において、ユーザが詳細な天気の移り変わりを把握したい状況では天気の移り変わりの詳細な内容を案内可能となる一方で、案内時間が長時間化することについても防止した情報提供システム、情報提供方法及びコンピュータプログラムを提供することを目的とする。
【課題を解決するための手段】
【０００８】
前記目的を達成するため本発明に係る情報提供システムは、今後の時間経過に伴う移動体の位置を予測する位置予測手段と、所定の設定時間間隔で複数の案内時刻を設定する案内時刻設定手段と、前記位置予測手段により予測された前記移動体の位置の内、前記複数の案内時刻における前記移動体の位置を、該移動体の位置を含む地図画像に重畳して前記案内時刻の経時順に切り替えて表示装置に順次表示する地図画像表示手段と、前記表示装置に前記地図画像が表示された領域である表示対象領域に関する天気情報を取得する天気情報取得手段と、前記案内時刻における天気情報を示す天気画像を、対応する案内時刻の前記地図画像に重畳して表示する天気画像表示手段と、前記位置予測手段により予測された前記移動体の位置において天気が変化する天気変化時刻を特定する天気変化時刻特定手段と、を有し、前記案内時刻設定手段は、前記天気変化時刻に近い時刻程、前記設定時間間隔を短くして前記案内時刻を設定する。
尚、「移動体」としては、車両以外に、歩行者や二輪車も含む。
また、「天気が変化」とは、『晴』から『雨』、『雨』から『曇』といった天候区分が変わる場合に加えて、降水量、気温、湿度、花粉の量等の天気に関するパラメータが変わる場合についても含む。
【０００９】
また、本発明に係る情報提供方法は、地図画像と天気情報を組み合わせて情報を提供する方法である。具体的には、位置予測手段が、今後の時間経過に伴う移動体の位置を予測するステップと、案内時刻設定手段が、所定の設定時間間隔で複数の案内時刻を設定するステップと、地図画像表示手段が、前記位置予測手段により予測された前記移動体の位置の内、前記複数の案内時刻における前記移動体の位置を、該移動体の位置を含む地図画像に重畳して前記案内時刻の経時順に切り替えて表示装置に順次表示するステップと、天気情報取得手段が、前記表示装置に前記地図画像が表示された領域である表示対象領域に関する天気情報を取得するステップと、天気画像表示手段が、前記案内時刻における天気情報を示す天気画像を、対応する案内時刻の前記地図画像に重畳して表示するステップと、天気変化時刻特定手段が、前記位置予測手段により予測された前記移動体の位置において天気が変化する天気変化時刻を特定するステップと、を有し、前記案内時刻設定手段は、前記天気変化時刻に近い時刻程、前記設定時間間隔を短くして前記案内時刻を設定する。
【００１０】
また、本発明に係るコンピュータプログラムは、地図画像と天気情報を組み合わせて情報を提供するプログラムである。具体的には、コンピュータを、今後の時間経過に伴う移動体の位置を予測する位置予測手段と、所定の設定時間間隔で複数の案内時刻を設定する案内時刻設定手段と、前記位置予測手段により予測された前記移動体の位置の内、前記複数の案内時刻における前記移動体の位置を、該移動体の位置を含む地図画像に重畳して前記案内時刻の経時順に切り替えて表示装置に順次表示する地図画像表示手段と、前記表示装置に前記地図画像が表示された領域である表示対象領域に関する天気情報を取得する天気情報取得手段と、前記案内時刻における天気情報を示す天気画像を、対応する案内時刻の前記地図画像に重畳して表示する天気画像表示手段と、前記位置予測手段により予測された前記移動体の位置において天気が変化する天気変化時刻を特定する天気変化時刻特定手段と、して機能させる為のコンピュータプログラムであって、前記案内時刻設定手段は、前記天気変化時刻に近い時刻程、前記設定時間間隔を短くして前記案内時刻を設定する。
【発明の効果】
【００１１】
前記構成を有する本発明に係る情報提供システム、情報提供方法及びコンピュータプログラムによれば、地図画像に今後の天気の移り変わりを示す天気画像を重畳して表示する場合において、移動体の位置において天気が変化する天気変化時刻を特定し、天気変化時刻に近い時刻程、案内時刻の設定時間間隔を短くするので、ユーザが詳細な天気の移り変わりを把握したい状況では、天気の移り変わりの詳細な内容を案内することが可能となる。一方で、ユーザが詳細な天気の移り変わりの把握を必要としない状況、例えば晴天や雨天が継続し、天気画像の変化がない状況では、案内時刻の設定時間間隔が長くなるので、案内に必要な時間を短縮化することが可能となる。
【図面の簡単な説明】
【００１２】
【図１】本実施形態に係る情報提供システムを示した概略構成図である。
【図２】天気情報ＤＢに記憶される天気情報を示した図である。
【図３】本実施形態に係るナビゲーション装置の制御系を模式的に示すブロック図である。
【図４】地図情報ＤＢに記憶される施設データの一例を示した図である。
【図５】本実施形態に係る天気情報案内処理プログラムのフローチャートである。
【図６】液晶ディスプレイに表示される経路案内画面の一例を示した図である。
【図７】降水量毎の天気画像の表示色について示した図である。
【図８】液晶ディスプレイに表示される車両の予測位置と天気画像を含む経路案内画面の一例を示した図である。
【図９】液晶ディスプレイに表示される車両の予測位置と天気画像を含む経路案内画面の一例を示した図である。
【図１０】車両の予測位置周辺にある屋内型施設に関する情報を含む経路案内画面の一例を示した図である。
【図１１】天気情報の案内態様の具体例を示した図である。
【図１２】天気変化リスト作成処理のサブ処理プログラムのフローチャートである。
【図１３】走行予定経路に対して設定される通過点を示した図である。
【図１４】天気変化リストの一例を示した図である。
【発明を実施するための形態】
【００１３】
以下、本発明に係る情報提供システムについて具体化した一実施形態に基づき図面を参照しつつ詳細に説明する。先ず、本実施形態に係る情報提供システム１の概略構成について図１を用いて説明する。図１は本実施形態に係る情報提供システム１を示した概略構成図である。
【００１４】
図１に示すように、本実施形態に係る情報提供システム１は、情報管理センタ２が有する情報サーバ３と、ユーザ４が乗車する車両に搭載されたナビゲーション装置５とを基本的に有している。尚、ナビゲーション装置５は、ナビ機能を備えた情報端末であれば良く、ナビゲーション装置以外に携帯電話機、ＰＤＡ、タブレット型端末、スマートフォン、パーソナルコンピュータ等としても良い。また、情報管理センタ２とナビゲーション装置５とは通信ネットワーク網６を介して互いに電子データを送受信可能に構成されている。
【００１５】
ここで、情報サーバ３は、全国各地の道路網や施設に関する地図情報を地図情報ＤＢ７に記憶する。また、全国各地の天気情報を天気情報ＤＢ８に記憶する。そして、ナビゲーション装置５の要求に応じてＤＢに記憶された天気情報を提供するサーバ装置である。ここで、天気情報ＤＢ８に記憶される天気情報は、例えば天候（晴、曇、雨等）、降水量、降水確率、最高気温、最低気温、紫外線強度、花粉飛散量等があり、それらの情報がメッシュ単位で区分されて管理される。また、現在の天気に加えて今後の予測される天気の天気情報についても記憶される。
【００１６】
ここで、図２は天気情報ＤＢ８に記憶される天気情報の内、特に降水量を示した図である。図２に示すように、情報サーバ３は地図情報ＤＢ７に記憶された地図情報を１００ｍ四方のメッシュ単位で区分し、各メッシュに対して該メッシュの天気情報を対応付けて管理している。例えば、図２に示す例では、メッシュＡは現在の降水量が０ｍｍ／ｈであり、１０分後の予想される降水量が０ｍｍ／ｈであり、２０分後の予想される降水量が２ｍｍ／ｈであることを示す。以下同様に１０分単位で所定時間後（例えば６時間後）までの予測降水量が記憶されている。また、天気情報ＤＢ８に記憶される天気情報は管理者によって随時更新される。
【００１７】
一方、ナビゲーション装置５は、目的地までの推奨経路を探索したり、サーバから取得したりメモリに格納された地図データに基づいてユーザ４の現在位置周辺や任意のエリアの地図画像を所定の縮尺で表示したり、表示された地図画像中においてユーザ４の現在位置を表示したり、設定された案内経路に沿った移動案内を行う機能を有する。尚、上記機能の全てをナビゲーション装置５が備えている必要はなく、少なくともユーザ４の現在位置周辺や任意のエリアの地図画像を表示する機能を有していれば本願発明を構成することが可能である。
【００１８】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置５との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置５の通信を情報サーバ３との間で中継する役割を持つ。
【００１９】
次に、情報提供システム１が有するナビゲーション装置５の概略構成について図３を用いて説明する。図３は本実施形態に係るナビゲーション装置５の制御系を模式的に示すブロック図である。
【００２０】
図１に示すように本実施形態に係るナビゲーション装置５は、ナビゲーション装置５が搭載された車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付ける操作部１４と、ユーザに対して車両周辺の地図や施設に関する案内情報を表示する液晶ディスプレイ１５と、経路案内に関する音声ガイダンスを出力するスピーカ１６と、記憶媒体であるＤＶＤを読み取るＤＶＤドライブ１７と、情報管理センタ２やＶＩＣＳ（登録商標：Vehicle Information and Communication System）センタ等の情報センタとの間で通信を行う通信モジュール１８と、を有している。
【００２１】
以下に、ナビゲーション装置５が有する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記４種類のセンサをナビゲーション装置５が全て備える必要はなく、これらの内の１又は複数種類のセンサのみをナビゲーション装置５が有する構成としても良い。
【００２２】
また、データ記録部１２は、外部記憶装置及び記録媒体としてのハードディスク（図示せず）と、ハードディスクに記録された地図情報ＤＢ３１や走行履歴ＤＢ３２や所定のプログラム等を読み出すとともにハードディスクに所定のデータを書き込む為のドライバである記録ヘッド（図示せず）とを備えている。尚、データ記録部１２をハードディスクの代わりにメモリーカードやＣＤやＤＶＤ等の光ディスクにより構成しても良い。また、ナビゲーション装置５は、地図情報ＤＢ３１を有さずに情報サーバ３から地図情報を通信により取得する構成としても良い。
【００２３】
ここで、地図情報ＤＢ３１は、経路案内や地図表示に必要な各種情報が記憶された記憶媒体である。具体的には、道路（リンク）に関するリンクデータ３３、ノード点に関するノードデータ３４、施設に関する施設データ３５、地図を表示するための地図表示データ、経路の探索に係る処理に用いられる探索データ、各交差点に関する交差点データ、地点を検索するための検索データ等が記憶される。
【００２４】
リンクデータ３３としては、例えば、該リンクを識別するリンクＩＤ、該リンクの端部に位置するノードを特定する端部ノード情報、該リンクを構成する道路の道路種別（リンク種別）、該リンクを構成する道路の道路属性（リンク属性）、リンク方位、ノード間のリンク形状（例えばカーブ道路ではカーブの形状）を特定する為の形状補完点データ等が記憶される。
【００２５】
また、ノードデータ３４としては、実際の道路の分岐点（交差点、Ｔ字路等も含む）や各道路に曲率半径等に応じて所定の距離毎に設定されたノード点の座標（位置）、ノードが交差点に対応するノードであるか等を表すノード属性、ノードに接続するリンクのリンク番号のリストである接続リンク番号リスト、ノードにリンクを介して隣接するノードのノード番号のリストである隣接ノード番号リスト、各ノード点の高さ（高度）等に関するデータ等が記録される。
【００２６】
また、施設データ３５としては、ナビゲーション装置５において出発地、目的地、案内対象等となる施設に関する情報が記憶される。例えば、ホテル、旅館等の宿泊施設、ガソリンスタンド等の給油施設、ショッピングモール、スーパーマーケット、ショッピングセンタ、コンビニエンスストア等の商業施設、テーマパーク、ゲームセンタ等の娯楽施設、レストラン、バー、居酒屋等の飲食施設、公共駐車場等の駐車施設、交通施設、寺院、教会等の宗教施設、美術館、博物館等の公共施設等の施設に関する情報が該当する。
また、施設データ３５は、施設毎に、施設の識別子である施設番号、施設の名称を示す施設名称、施設のジャンル（「駐車場」、「郵便局」、「レストラン」等）を示す施設ジャンル、施設の位置を示す位置座標、屋内型施設であるか屋外型施設であるかを特定する情報等から構成されている。
【００２７】
ここで、図４は施設データ３５の一例を示した図である。
例えば、図２に示す施設データ３５の例では、座標（ｘ１，ｙ１）の地点において屋内型施設である施設番号：「１０００１」に該当する『○○デパート（ジャンル：デパート）』が存在することを示している。また、座標（ｘ３，ｙ３）の地点において屋外型施設である施設番号：「１０００３」に該当する『○×公園（ジャンル：公園）』が存在することを示している。同様に他の施設に関する情報についても記憶されている。
【００２８】
また、走行履歴ＤＢ３２は、車両の走行履歴を記憶するＤＢである。具体的には、過去に車両が走行したリンクが走行時刻とともに累積的に記憶される。そして、ナビゲーションＥＣＵ１３は走行履歴ＤＢ３２に記憶された走行履歴情報に基づいて、後述するように今後に車両が走行する走行予定経路を予測する。尚、走行履歴ＤＢ３２は外部のサーバ（例えば情報サーバ３）が有する構成としても良い。
【００２９】
また、ナビゲーションＥＣＵ（エレクトロニック・コントロール・ユニット）１３は、ナビゲーション装置５の全体の制御を行う電子制御ユニットであり、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、後述の天気情報案内処理プログラム（図５）等が記録されたＲＯＭ４３、後述の天気変化リストやＲＯＭ４３から読み出したプログラムを記憶するフラッシュメモリ４４等の内部記憶装置を備えている。尚、ナビゲーションＥＣＵ１３は、処理アルゴリズムとしての各種手段を有する。例えば、位置予測手段は、今後の時間経過に伴う車両の位置を予測する。案内時刻設定手段は、所定の設定時間間隔で複数の案内時刻を設定する。地図画像表示手段は、位置予測手段により予測された車両の位置の内、複数の案内時刻における車両の位置を、該車両の位置を含む地図画像に重畳して案内時刻の経時順に切り替えて液晶ディスプレイ１５に順次表示する。天気情報取得手段は、液晶ディスプレイ１５に地図画像が表示された領域である表示対象領域に関する天気情報を取得する。天気画像表示手段は、案内時刻における天気情報を示す天気画像を、対応する案内時刻の地図画像に重畳して表示する。天気変化時刻特定手段は、位置予測手段により予測された車両の位置において天気が変化する天気変化時刻を特定する。
【００３０】
操作部１４は、走行開始地点としての出発地及び走行終了地点としての目的地を入力する際等に操作され、各種のキー、ボタン等の複数の操作スイッチ（図示せず）を有する。そして、ナビゲーションＥＣＵ１３は、各スイッチの押下等により出力されるスイッチ信号に基づき、対応する各種の動作を実行すべく制御を行う。尚、操作部１４としては液晶ディスプレイ１５の前面に設けたタッチパネルを有する構成としても良い。また、マイクと音声認識装置を有する構成としても良い。
【００３１】
また、液晶ディスプレイ１５には、道路を含む地図画像、交通情報、操作案内、操作メニュー、キーの案内、出発地から目的地までの案内経路、案内経路に沿った案内情報、ニュース、時刻、メール、テレビ番組等が表示される。また、本実施形態では、後述のように情報サーバ３から取得した天気情報に基づいて、今後の車両の位置周辺において予測される天気情報を案内する際にも用いられる。尚、液晶ディスプレイ１５の代わりに、ＨＵＤやＨＭＤを用いても良い。
【００３２】
また、スピーカ１６は、ナビゲーションＥＣＵ１３からの指示に基づいて走行予定経路に沿った走行を案内する音声ガイダンスや、交通情報の案内を出力する。
【００３３】
また、ＤＶＤドライブ１７は、ＤＶＤやＣＤ等の記録媒体に記録されたデータを読み取り可能なドライブである。そして、読み取ったデータに基づいて音楽や映像の再生、地図情報ＤＢ３１の更新等が行われる。尚、ＤＶＤドライブ１７に替えてメモリーカードを読み書きする為のカードスロットを設けても良い。
【００３４】
また、通信モジュール１８は、交通情報センタ、例えば、ＶＩＣＳセンタやプローブセンタ等から送信された渋滞情報、規制情報、交通事故情報等の各情報から成る交通情報を受信する為の通信装置であり、例えば携帯電話機やＤＣＭが該当する。また、本実施形態では情報サーバ３から天気情報ＤＢ８に格納された天気情報を受信するのにも用いられる。
【００３５】
続いて、前記構成を有するナビゲーション装置５においてＣＰＵ４１が実行する天気情報案内処理プログラムについて図５に基づき説明する。図５は本実施形態に係る天気情報案内処理プログラムのフローチャートである。ここで、天気情報案内処理プログラムはナビゲーション装置５において案内経路が設定された時点、或いはユーザの所定の操作を受け付けた場合に実行され、今後の車両の位置周辺において予測される天気情報を経時順に案内するプログラムである。尚、以下の図５及び図１２にフローチャートで示されるプログラムは、ナビゲーション装置５が備えているＲＡＭ４２やＲＯＭ４３に記憶されており、ＣＰＵ４１により実行される。
【００３６】
先ず、天気情報案内処理プログラムではステップ（以下、Ｓと略記する）１において、ＣＰＵ４１は、車両が今後走行する予定にある経路（以下、走行予定経路という）を取得する。尚、車両の走行予定経路は、ナビゲーション装置５において案内経路が設定されている場合には、ナビゲーション装置５において現在設定されている案内経路の内、車両の現在位置から目的地までの経路を走行予定経路とする。尚、案内経路はナビゲーション装置５によって設定された出発地から目的地までの推奨経路であり、例えば公知のダイクストラ法を用いて探索される。
【００３７】
一方、ナビゲーション装置５において案内経路が設定されていない場合には、ＣＰＵ４１は走行履歴ＤＢ３２に記憶された車両の過去の走行履歴に基づいて走行予定経路を予測する。例えば、ＣＰＵ４１は走行履歴ＤＢ３２に記憶された走行履歴の内、現在車両が走行する道路と同一の道路を走行した走行履歴を抽出する。そして、抽出した走行履歴においてその後の走行比率の最も高い道路を走行予定経路とする。尚、現在車両が走行する道路と同一の道路を走行した走行履歴が無い場合には、現在車両が走行する道路と道なりの関係にある道路を走行予定経路と予測しても良い。
【００３８】
次に、Ｓ２においてＣＰＵ４１は、後述の天気変化リスト作成処理（図１２）を実行する。尚、天気変化リスト作成処理は、後述のように前記Ｓ１で取得した車両の走行予定経路に基づいて今後の時間経過に伴う車両の位置を予測するとともに、予測された車両の位置において天気が変化する時刻（即ち車両が天気の変化に遭遇すると予想される時刻であり、以下、天気変化時刻という）を特定する処理である。尚、本実施形態では『天気』を“降水量が０ｍｍ／ｈ（降水無し）”と“降水量が０ｍｍ／ｈ以外（降水有り）”のいずれかで定義する。
【００３９】
続いて、Ｓ３においてＣＰＵ４１は、液晶ディスプレイ１５に対して前記Ｓ１で取得された車両の走行予定経路を案内する経路案内画面５０を表示する。ここで、経路案内画面５０には地図画像５１が含まれ、地図画像５１上に重畳して走行予定経路が描画される。また、本実施形態では前記Ｓ３で経路案内画面５０において表示される地図画像５１は、前記Ｓ１で取得された車両の走行予定経路をすべて含む最大縮尺の地図画像とする。
【００４０】
具体的に、前記Ｓ３においてＣＰＵ４１は、先ず前記Ｓ１で取得した走行予定経路に基づいて地図画像５１の表示対象となる領域（以下、表示対象領域という）を特定する。尚、上記したように表示対象領域は、前記Ｓ１で取得された車両の走行予定経路をすべて含む領域とする。その後、表示対象領域の地図情報を地図情報ＤＢから読み出し、読み出した地図情報に基づいて生成した地図画像５１を液晶ディスプレイ１５に対して描画する。また、地図画像５１には車両の現在位置を示すマーク、走行予定経路を示す画像、ＰＯＩマーク、地名、施設名、水域や森林領域を示す背景画像等についても必要に応じて描画される。
【００４１】
ここで、図６は前記Ｓ３において液晶ディスプレイ１５に表示される経路案内画面５０の一例を示した図である。図６に示すように経路案内画面５０は、走行予定経路周辺の地図画像５１と、車両の走行予定経路５２と、地図上にマッチングされた車両の現在位置を示す自車位置マーク５３と、目的地を示す目的地マーク５４（ナビゲーション装置５において目的地が設定されている場合のみ）とが表示される。また、経路案内画面５０の下方縁部には後述する現在の案内時刻ｔを示す時刻ゲージ５５についても表示される。更に、後述のＳ７においては現在の案内時刻ｔの天気情報を示す天気画像についても地図画像５１に重畳して表示される。そして、ユーザは経路案内画面５０を参照することによって、車両が今後に走行する予定となる経路の形状や周辺の地図情報等を把握することが可能となる。
【００４２】
尚、本実施形態では前記Ｓ３において表示される地図画像５１は、前記Ｓ１で取得された車両の走行予定経路をすべて含む最大縮尺の地図画像としているが、走行予定経路をすべて含む地図画像である必要は無く、一部の走行予定経路のみを含む地図画像としても良い。例えば、表示開始時点では車両の現在位置の周辺の走行予定経路を含む地図画像を表示し、その後に案内経路沿いに車両の進行方向へと地図画像をスクロール表示するように構成しても良い。
【００４３】
続いて、Ｓ４においてＣＰＵ４１は、液晶ディスプレイ１５において地図画像が表示される対象となる表示対象領域を特定する。
【００４４】
その後、Ｓ５においてＣＰＵ４１は、情報サーバ３と通信を行うことによって、情報サーバ３が有する天気情報ＤＢ８から前記Ｓ４で特定された表示対象領域を含む領域の天気情報を取得する。尚、天気情報を取得する領域単位はメッシュ単位でも良いし市区町村等の行政区画単位でも良い。
【００４５】
また、天気情報ＤＢ８に記憶される天気情報は、前述したように１００ｍ四方のメッシュ単位で管理され、現在の天気に加えて今後の予測される天気（例えば１０分単位で６時間後まで）の天気情報についても記憶される（図２参照）。また、天気情報としては、例えば天候（晴、曇、雨等）、降水量、降水確率、最高気温、最低気温、紫外線強度、花粉飛散量等があるが、以下の説明ではナビゲーション装置５は特に降水量（ｍｍ／ｈ）を情報サーバ３から取得し、案内を行う例について説明する。
【００４６】
次に、Ｓ６においてＣＰＵ４１は、パラメータとして案内時刻ｔを規定し、案内時刻ｔに初期値として現在時刻を設定する。尚、案内時刻ｔはＲＡＭ４２等に格納され、後述のように所定時間単位（例えば１秒ごと）で所定の設定時間間隔Δｔが加算されることにより更新される（Ｓ１５）。また、現在時刻はＧＰＳ２１により取得される。
【００４７】
続いて、Ｓ７においてＣＰＵ４１は、前記Ｓ１で取得された車両の走行予定経路、地図情報ＤＢ３１に記憶された地図情報、外部サーバから取得した交通情報等に基づいて、案内時刻ｔにおける車両の位置を予測する。例えば、走行予定経路に含まれる各リンクの平均車速を取得し、平均車速で車両が走行予定経路に沿って走行すると仮定して車両の位置を予測する。
【００４８】
更に、前記Ｓ７においてＣＰＵ４１は、予測された案内時刻ｔにおける車両の位置を前記Ｓ３で表示された地図画像５１に重畳して表示するとともに、更に案内時刻ｔの天気情報を示す天気画像を地図画像５１に重畳して表示する。具体的には、先ずＣＰＵ４１は前記Ｓ５で取得された表示対象領域の天気情報の内、案内時刻ｔに対応する天気情報を抽出する。尚、案内時刻ｔと同時刻の天気情報が無い場合には、案内時刻ｔに最も近い時刻（例えば９：３０と９：４０の天気情報が存在する場合において案内時刻ｔが９：３７である場合には９：４０）の天気情報を抽出する。続いて、抽出された天気情報に基づいて、１００ｍ四方のメッシュ単位で天気画像の表示色を設定する。ここで、天気画像は、文字や記号を含まず、降水量が０ｍｍ／ｈ以外の領域を降水量（ｍｍ／ｈ）に対応した表示色で覆うことによって、領域毎の降水量を示す画像となっている。従って、表示対象領域に含まれるメッシュの内、降水量が０ｍｍ／ｈ以外のメッシュに対して天気画像の表示色をそれぞれ設定する。具体的には、図７に示すように降水量が５０ｍｍ／ｈ以上の領域については赤色の表示色を設定する。また、３０ｍｍ／ｈ以上５０ｍｍ／ｈ未満の領域については橙色の表示色を設定する。また、２０ｍｍ／ｈ以上３０ｍｍ／ｈ未満の領域については黄色の表示色を設定する。また、１０ｍｍ／ｈ以上２０ｍｍ／ｈ未満の領域については緑色の表示色を設定する。また、１ｍｍ／ｈ以上１０ｍｍ／ｈ未満の領域については青色の表示色を設定する。また、０ｍｍ／ｈ以上１ｍｍ／ｈ未満の領域については水色の表示色を設定する。そして、設定された表示色の画像を、表示対象領域に含まれるメッシュの内、降水量が０ｍｍ／ｈ以外のメッシュ上に描画する。その結果、地図画像５１に重畳して、表示色によって降水量を識別して示す天気画像が表示されることとなり、地図画像の表示される領域の天気を直感的に分かり易い態様で案内することが可能となる。また、表示色は１００ｍ四方のメッシュ単位で設定されるので、メッシュ単位で詳細に降水量を識別して案内することが可能となる。
【００４９】
例えば、図８は前記Ｓ７において天気画像が表示された経路案内画面５０の一例を示した図である。図８に示すように経路案内画面５０には、案内時刻ｔにおいて予測される車両の予測位置５９と天気画像６０とが、車両の走行予定経路５２周辺の地図画像５１に重畳して表示される。天気画像６０は表示色によって重複される領域の降水量を示す。例えば、赤色で表示された領域は降水量が５０ｍｍ／ｈ以上であることを示し、橙色で表示された領域は降水量が３０ｍｍ／ｈ以上５０ｍｍ／ｈ未満であることを示し、黄色で表示された領域は降水量が２０ｍｍ／ｈ以上３０ｍｍ／ｈ未満であることを示し、緑色で表示された領域は降水量が１０ｍｍ／ｈ以上２０ｍｍ／ｈ未満であることを示し、青色で表示された領域は降水量が１ｍｍ／ｈ以上１０ｍｍ／ｈ未満であることを示し、水色で表示された領域は降水量が０ｍｍ／ｈ以上１ｍｍ／ｈ未満であることを示す。また、天気画像６０が重複していない領域は降水量が０ｍｍ／ｈであることを示す。
【００５０】
また、後述のように所定時間単位（例えば１秒ごと）で案内時刻ｔが更新されるので（Ｓ１５）、案内時刻ｔの更新に応じて地図画像５１に表示される車両の予測位置５９と天気画像６０についても更新される（Ｓ７）。例えば図９は案内時刻ｔが現在時刻から１時間後の場合における車両の予測位置５９と天気画像６０を示した図である。尚、車両の予測位置５９と天気画像６０を切り替える時間単位（即ち案内時刻ｔの更新を行う時間単位）は基本的に固定とする。また、地図画像５１が車両の走行予定経路をすべて含む地図画像でない場合については、車両の予測位置に応じて地図画像５１の表示対象領域についても更新する。具体的には車両の予測位置が常に地図画像上に含まれるように表示対象領域を更新する。そして、ユーザは経路案内画面５０を参照することによって、今後の時間経過に伴う車両の予測位置とその周辺の天気情報を把握することが可能となる。尚、地図画像５１の視認性を向上させる為に、道路や施設が密集する地域に重複する天気画像６０については半透過状態で表示してもよい。
【００５１】
続いて、Ｓ８においてＣＰＵ４１は、現在の案内時刻ｔの前後所定時間以内、具体的にはｔ−Ｔ０からｔ＋Ｔ０までの間に天気変化時刻があるか否かを判定する。尚、天気変化時刻は、今後の予測される車両の位置において天気が変化する時刻、即ち車両が天気の変化に遭遇すると予想される時刻であり、前記Ｓ２で特定される。また、本実施形態では『天気』を“降水量が０ｍｍ／ｈ（降水無し）”と“降水量が０ｍｍ／ｈ以外（降水有り）”のいずれかで定義する。尚、Ｔ０は案内時刻ｔの最小の設定時間間隔の１／２より長い時間とし、例えば１５分とする。
【００５２】
そして、現在の案内時刻ｔの前後所定時間以内に天気変化時刻があると判定された場合（Ｓ８：ＹＥＳ）には、Ｓ１０へと移行する。それに対して、現在の案内時刻ｔの前後所定時間以内に天気変化時刻がないと判定された場合（Ｓ８：ＮＯ）には、Ｓ９へと移行する。
【００５３】
Ｓ９においてＣＰＵ４１は、案内時刻ｔの設定時間間隔Δｔを３０分（第１時間間隔）に設定する。尚、第１時間間隔は必ずしも３０分である必要は無く、適宜変更可能である。その後、Ｓ１５へと移行する。
【００５４】
一方、Ｓ１０においてＣＰＵ４１は、前回実行されたＳ８の判定結果を読み出し、前回実行されたＳ８の判定結果がＮＯであったかを判定する。尚、前回実行されたＳ８の判定結果がＮＯの場合とは、具体的に前回のＳ８実行時の案内時刻ｔの前後所定時間以内には天気変化時刻がなかったが、今回のＳ８実行時の案内時刻ｔの前後所定時間以内には天気変化時刻がある場合である。
【００５５】
そして、前回実行されたＳ８の判定結果がＮＯの場合（Ｓ１０：ＹＥＳ）、即ち前回のＳ８実行時の案内時刻ｔの前後所定時間以内には天気変化時刻がなかったが、今回のＳ８実行時の案内時刻ｔの前後所定時間以内には天気変化時刻がある場合には、Ｓ１１へと移行する。それに対して、前回実行されたＳ８の判定結果がＹＥＳの場合（Ｓ１０：ＮＯ）、即ち前回のＳ８実行時の案内時刻ｔの前後所定時間以内においても天気変化時刻があった場合には、Ｓ１４へと移行する。
【００５６】
Ｓ１１においてＣＰＵ４１は、液晶ディスプレイ１５において表示される経路案内画面５０の画像の更新を一定時間（例えば３秒）停止する。尚、前記Ｓ１１において経路案内画面５０の画像の更新を一定時間停止する時刻は、案内時刻ｔの設定時間間隔Δｔが第１時間間隔から第２時間間隔へと変更される時刻に相当する。即ち、案内時刻ｔの設定時間間隔が短くなる直前に経路案内画面５０の画像の更新が一定時間停止されることとなる。それによって、車両の予測位置において天気が変化する直前の天気画像をユーザに確実に視認させるとともに、これから天気の移り変わりについて詳細な内容を開始することをユーザに予告することが可能となる。
【００５７】
続いて、Ｓ１２においてＣＰＵ４１は、案内時刻ｔの車両の予測位置の天気が“降水量が０ｍｍ／ｈ以外（降水有り）”であるか否か判定する。
【００５８】
そして、案内時刻ｔの車両の予測位置の天気が“降水量が０ｍｍ／ｈ以外（降水有り）”であると判定された場合（Ｓ１２：ＹＥＳ）、即ち案内時刻ｔの前後所定時間以内において天気が“降水量が０ｍｍ／ｈ（降水無し）”から“降水量が０ｍｍ／ｈ以外（降水有り）”に変わる場合には、Ｓ１３へと移行する。
【００５９】
一方、案内時刻ｔの車両の予測位置の天気が“降水量が０ｍｍ／ｈ（降水無し）”であると判定された場合（Ｓ１２：ＮＯ）、即ち案内時刻ｔの前後所定時間以内において天気が“降水量が０ｍｍ／ｈ以外（降水有り）”から“降水量が０ｍｍ／ｈ（降水無し）”に変わる場合には、Ｓ１４へと移行する。
【００６０】
Ｓ１３においてＣＰＵ４１は、地図情報ＤＢ３１の施設データ３５（図４）を用いて、案内時刻ｔの車両の予測位置の周辺に位置する施設の内、特に屋内型施設を探索し、探索された施設を案内する。具体的には、図１０に示すように地図画像５１上において施設の位置とジャンルを示すＰＯＩマーク６１を表示する。尚、該当する施設が多数ある場合には優先度の高い施設を優先してＰＯＩマーク６１を表示する。ここで、優先度は、走行予定経路沿いにある施設をそれ以外の施設よりも高く設定する。同様に、車両の現在位置から近い施設、車両の進行方向側にある施設について優先度を高く設定する。その結果、ユーザは経路案内画面５０を参照することによって、天候が悪化する状況での運転を回避する為に立ち寄るべき施設を把握することが可能となる。尚、ＰＯＩマーク６１の表示はその後に車両の予測位置の天気が“降水量が０ｍｍ／ｈ（降水無し）”となるまで継続して表示される。尚、ＰＯＩマーク６１に加えて施設に関する情報（施設名称、施設までの所要時間等）を表示しても良い。また、探索された施設を経由地に設定しても良い。その後、Ｓ１４へと移行する。
【００６１】
Ｓ１４においてＣＰＵ４１は、案内時刻ｔの設定時間間隔Δｔを１０分（第２時間間隔）に設定する。尚、第２時間間隔は必ずしも１０分である必要は無く、適宜変更可能である。但し、前記Ｓ９で設定される第１時間間隔よりも短い間隔に設定する。その後、Ｓ１５へと移行する。
【００６２】
Ｓ１５においてＣＰＵ４１は、案内時刻ｔを更新する。具体的には前記Ｓ１４又は前記Ｓ１５で設定された設定時間間隔Δｔを加算して新たな案内時刻ｔとする。
【００６３】
その後、Ｓ１６においてＣＰＵ４１は、案内時刻ｔが上限に到達したか否か判定する。ここで、案内時刻の上限はナビゲーション装置５において目的地が設定されている場合には、目的地の到着予定時刻とする。また、目的地が設定されていない場合については天気情報が取得できた最終時刻（例えば６時間後）とする。
【００６４】
そして、案内時刻ｔが上限に到達したと判定された場合（Ｓ１６：ＹＥＳ）には、当該天気情報案内処理プログラムを終了する。それに対して、案内時刻ｔが上限に到達していないと判定された場合（Ｓ１６：ＮＯ）にはＳ７へと戻り、更新された案内時刻ｔに基づいて車両の位置や天気情報の案内を継続して行う。
【００６５】
本実施形態では上記Ｓ７〜Ｓ１６の処理を案内時刻ｔが上限に到達するまで繰り返し実行することによって、今後の車両の位置周辺において予測される天気情報が経時順に案内されることとなる。また、天気変化時刻に近い時刻程、案内時刻ｔの設定時間間隔が短くなるので、ユーザが詳細な天気の移り変わりを把握したい状況では、天気の移り変わりの詳細な内容を案内することが可能となる。一方で、ユーザが詳細な天気の移り変わりの把握を必要としない状況、例えば晴天や雨天が継続し、天気画像の変化がない状況では、案内時刻の設定時間間隔が長くなるので、案内に必要な時間を短縮化することが可能となる。例えば図１１に示すように９：００〜１０：３０まで車両の予想位置の天気が“降水量が０ｍｍ／ｈ（降水無し）”であり、１０：３０〜１２：００まで車両の予想位置の天気が“降水量が０ｍｍ／ｈ以外（降水有り）”であり、１２：００以降の車両の予想位置の天気が“降水量が０ｍｍ／ｈ（降水無し）”である場合を例に挙げて説明する。
【００６６】
図１１に示す例では、案内時刻ｔが９：００〜１０：１５までは案内時刻ｔの設定時間間隔Δｔが３０分となる（Ｓ９）ので、経路案内画面５０においては先ず３０分間隔の車両の予測位置や天気画像が表示されることとなる。その後、案内時刻ｔが天気変化時刻に近い１０：１５となった時点で画像の更新が一時的に停止される（Ｓ１１）。そして、一時停止が解除されてから１０：４５までは案内時刻ｔの設定時間間隔Δｔが１０分となる（Ｓ１４）ので、経路案内画面５０においては１０分間隔の車両の予測位置や天気画像が表示されることとなる。その後、案内時刻ｔが１０：４５〜１１：４５までは再び案内時刻ｔの設定時間間隔Δｔが３０分となり、以下同様にして１１：４５〜１２：１５までは設定時間間隔Δｔが１０分、１２：１５以降は設定時間間隔Δｔが３０分となる。
【００６７】
次に、前記Ｓ２において実行される天気変化リスト作成処理のサブ処理について図１２に基づき説明する。図１２は天気変化リスト作成処理のサブ処理プログラムのフローチャートである。
【００６８】
先ず、Ｓ２１においてＣＰＵ４１は、前記Ｓ１で取得した車両の走行予定経路上にＮ個の通過点Ｐ１〜ＰＮを設定する。尚、本実施形態では、図１３に示すように走行予定経路６５を構成するリンクの端点であるノード６６と、リンクの形状を特定する為の形状補完点６７をそれぞれ通過点として設定する。従って、Ｎは走行予定経路６５上にあるノード６６と形状補完点６７の合計数となる。また、設定された通過点は車両の現在位置から近い順にＰ１、Ｐ２、Ｐ３、・・・、ＰＮとする。
【００６９】
次に、Ｓ２２においてＣＰＵ４１は、パラメータｎに初期値である『１』を代入する。尚、パラメータｎはＲＡＭ４２等に格納される。
【００７０】
続いて、Ｓ２３においてＣＰＵ４１は、通過点Ｐｎの位置座標Ｑｎと通過予定時刻Ｔｎをそれぞれ取得する。尚、位置座標Ｑｎについては地図情報ＤＢ３１のリンクデータ３３やノードデータ３４から特定する。一方、通過予定時刻Ｔｎについては、前記Ｓ１で取得された車両の走行予定経路、地図情報ＤＢ３１に記憶された地図情報、外部サーバから取得した交通情報等に基づいて予測する。例えば、走行予定経路に含まれる各リンクの平均車速を取得し、平均車速で車両が走行予定経路に沿って走行すると仮定して通過予定時刻Ｔｎを特定する。
【００７１】
その後、Ｓ２４においてＣＰＵ４１は、情報サーバ３と通信を行うことによって、情報サーバ３が有する天気情報ＤＢ８から位置座標Ｑｎにおける通過予定時刻Ｔｎの天気情報を取得する。尚、天気情報ＤＢ８に記憶される天気情報は、前述したように１００ｍ四方のメッシュ単位で管理されているので（図２参照）、前記Ｓ２４では位置座標Ｑｎを含むメッシュの天気情報が取得される。そして、ＣＰＵ４１は取得した天気情報に基づいて位置座標Ｑｎにおける通過予定時刻Ｔｎの天気Ｗｎを特定する。尚、本実施形態では天気Ｗｎを“降水量が０ｍｍ／ｈ（降水無し）”と“降水量が０ｍｍ／ｈ以外（降水有り）”のいずれかで特定する。
【００７２】
次に、Ｓ２５においてＣＰＵ４１は、天気Ｗｎと天気Ｗｎ−１を比較し、天気Ｗｎと天気Ｗｎ−１が同一の天気であるか否か判定する。
【００７３】
そして、天気Ｗｎと天気Ｗｎ−１が同一の天気であると判定された場合（Ｓ２５：ＹＥＳ）には、車両が通過点Ｐｎを通過するタイミングでは天気が変化しないと判定し、天気変化時刻を記憶することなくＳ２７へと移行する。一方、天気Ｗｎと天気Ｗｎ−１が同一の天気でないと判定された場合（Ｓ２５：ＮＯ）には、車両が通過点Ｐｎを通過するタイミングで天気が変化すると判定し、Ｓ２６へと移行する。
【００７４】
Ｓ２６においてＣＰＵ４１は、位置座標Ｑｎ、通過予定時刻Ｔｎ、天気Ｗｎの組み合わせを図１４に示すように天気変化リストとして記憶する。尚、天気変化リストはフラッシュメモリ４４等に格納される。尚、天気変化リストに記憶される通過予定時刻は、通過点Ｐ１〜ＰＮの車両の通過予定時刻における天気を経時順に配列した場合に天気が変化する時刻、即ち天気変化時刻となる。
【００７５】
続いて、Ｓ２７においてＣＰＵ４１は、パラメータｎが『Ｎ』であるか否か、即ち前記Ｓ１で設定された全ての通過点Ｐ１〜ＰＮを対象として上記Ｓ２３〜Ｓ２６の処理を実行したか否かが判定される。
【００７６】
そして、パラメータｎが『Ｎ』である、即ち前記Ｓ１で設定された全ての通過点Ｐ１〜ＰＮを対象として上記Ｓ２３〜Ｓ２６の処理を実行したと判定された場合（Ｓ２７：ＹＥＳ）には、Ｓ３へと移行する。一方、パラメータｎが『Ｎ』以外である、即ち前記Ｓ１で設定された全ての通過点Ｐ１〜ＰＮを対象として上記Ｓ２３〜Ｓ２６の処理を実行していないと判定された場合（Ｓ２７：ＮＯ）には、パラメータｎを＋１加算し（Ｓ２８）、Ｓ２３へと戻る。以下同様に、前記Ｓ１で設定された通過点Ｐ１〜ＰＮを対象としてＳ２３〜Ｓ２６の処理を実行し、全ての天気変化時刻を特定する。その後Ｓ３へと移行し、特定された天気変化時刻を用いて天気情報の案内を行う。
【００７７】
以上詳細に説明した通り、本実施形態に係る情報提供システム１、情報提供システム１による情報提供方法及び情報提供システム１で実行されるコンピュータプログラムでは、所定の設定時間間隔で複数の案内時刻ｔを設定し（Ｓ８、Ｓ９、Ｓ１４、Ｓ１５）、複数の案内時刻ｔにおける車両の位置を、該車両の位置を含む地図画像に重畳して案内時刻ｔの経時順に切り替えて液晶ディスプレイ１５に順次表示するとともに、案内時刻における天気情報を示す天気画像を、対応する案内時刻の地図画像に重畳して表示する（Ｓ７）。また、予測される今後の車両の位置において天気が変化する時刻である天気変化時刻を特定し、天気変化時刻に近い時刻程、案内時刻ｔの設定時間間隔を短くするので、ユーザが詳細な天気の移り変わりを把握したい状況では、天気の移り変わりの詳細な内容を案内することが可能となる。一方で、ユーザが詳細な天気の移り変わりの把握を必要としない状況、例えば晴天や雨天が継続し、天気画像の変化がない状況では、案内時刻の設定時間間隔が長くなるので、案内に必要な時間を短縮化することが可能となる。
【００７８】
尚、本発明は前記実施形態に限定されるものではなく、本発明の要旨を逸脱しない範囲内で種々の改良、変形が可能であることは勿論である。
例えば、本実施形態では、ナビゲーション装置５で案内対象となる天気情報を情報サーバ３のＤＢから取得する構成としているが、天気情報は予めナビゲーション装置５のＤＢに格納する構成としても良い。その場合には、ナビゲーション装置５単体で情報提供システム１を構成することも可能である。
【００７９】
また、本実施形態では、天気情報を１００ｍ四方のメッシュ単位で管理しているが、天気情報を管理する領域単位は２００ｍ四方や４００ｍ四方のメッシュ単位としても良い。尚、その場合には天気画像の表示色の設定単位も天気情報の管理単位と合わせた単位とするのが望ましい。
【００８０】
また、本実施形態では、天気情報として特に降水量（ｍｍ／ｈ）を情報サーバ３から取得し、案内を行う構成としているが、その他の天気情報（例えば天候区分（晴、曇、雨等）、降水確率、最高気温、最低気温、紫外線強度、花粉飛散量等）を情報サーバ３から取得し、案内を行う構成としても良い。
【００８１】
更に、本実施形態では『天気』を“降水量が０ｍｍ／ｈ（降水無し）”と“降水量が０ｍｍ／ｈ以外（降水有り）”のいずれかで定義する構成としているが、より細分化して定義しても良い。例えば、“降水量が０ｍｍ／ｈ”、“降水量が１０ｍｍ／ｈ未満”、“降水量が１０ｍｍ／ｈ以上”で定義する構成としても良い。また、降水量ではなく気温、湿度、花粉の量等の天気に関する他のパラメータで定義しても良い。更に『晴』、『曇』、『雨』、『雪』等の天候区分で定義しても良い。
【００８２】
更に、本実施形態では車両の予測位置の天気が“降水量が０ｍｍ／ｈ以外（降水有り）”である場合に、車両の予測位置の周辺に位置する屋内型施設を探索し、案内する（Ｓ１３）構成としているが、屋内型施設を案内する条件として他の条件を設定しても良い。例えば、“降水量が１０ｍｍ／ｈ以上”や天候区分が『雨』や『雪』の場合等の車両の予測位置の天気が天候不順であることを示す他の条件としても良い。
【００８３】
また、本実施形態では、ナビゲーション装置５のＣＰＵ４１が天気情報案内処理プログラム（図５）の各ステップを実行する構成としているが、情報サーバ３のＣＰＵやその他の外部サーバが一部または全部の処理を実行する構成としても良い。
【００８４】
また、本発明は情報提供システム１を構成するナビゲーション装置５の代わりに、地図画像を表示する機能を有する各種情報端末を適用することが可能である。例えば、携帯電話機、スマートフォン、タブレット型端末、パーソナルコンピュータ等に適用することも可能である。また、ナビゲーション装置５の代わりに、他の情報端末を用いる場合には、仮想位置は車両以外の移動体（例えば歩行者や自転車等）の仮想位置を定義するように構成しても良い。
【００８５】
また、本発明に係る情報提供システムを具体化した実施例について上記に説明したが、情報提供システムは以下の構成を有することも可能であり、その場合には以下の効果を奏する。
【００８６】
例えば、第１の構成は以下のとおりである。
今後の時間経過に伴う移動体の位置を予測する位置予測手段（４１）と、所定の設定時間間隔で複数の案内時刻を設定する案内時刻設定手段（４１）と、前記位置予測手段により予測された前記移動体の位置の内、前記複数の案内時刻における前記移動体の位置を、該移動体の位置を含む地図画像（５１）に重畳して前記案内時刻の経時順に切り替えて表示装置（１５）に順次表示する地図画像表示手段（４１）と、前記表示装置に前記地図画像が表示された領域である表示対象領域に関する天気情報を取得する天気情報取得手段（４１）と、前記案内時刻における天気情報を示す天気画像（６０）を、対応する案内時刻の前記地図画像に重畳して表示する天気画像表示手段（４１）と、前記位置予測手段により予測された前記移動体の位置において天気が変化する天気変化時刻を特定する天気変化時刻特定手段（４１）と、を有し、前記案内時刻設定手段は、前記天気変化時刻に近い時刻程、前記設定時間間隔を短くして前記案内時刻を設定する。
上記構成を有する情報提供システムによれば、地図画像に今後の天気の移り変わりを示す天気画像を重畳して表示する場合において、移動体の位置において天気が変化する天気変化時刻を特定し、天気変化時刻に近い時刻程、案内時刻の設定時間間隔を短くするので、ユーザが詳細な天気の移り変わりを把握したい状況では、天気の移り変わりの詳細な内容を案内することが可能となる。一方で、ユーザが詳細な天気の移り変わりの把握を必要としない状況、例えば晴天や雨天が継続し、天気画像の変化がない状況では、案内時刻の設定時間間隔が長くなるので、案内に必要な時間を短縮化することが可能となる。
【００８７】
また、第２の構成は以下のとおりである。
前記案内時刻設定手段（４１）は、前記天気変化時刻の前後所定時間以内を除いて第１時間間隔で前記案内時刻を設定し、前記天気変化時刻の前後所定時間以内では第１時間間隔より短い第２時間間隔で前記案内時刻を設定する。
上記構成を有する情報提供システムによれば、今後の移動体の位置において天気が変化すると予想される時刻、即ち移動体が天気の変化に遭遇すると予想される時刻周辺では、案内時刻の設定時間間隔を短くするので、ユーザが詳細な天気の移り変わりを把握したい状況において天気の移り変わりの詳細な内容を案内することが可能となる。
【００８８】
また、第３の構成は以下のとおりである。
前記地図画像表示手段（４１）は、前記設定時間間隔が前記第１時間間隔から前記第２時間間隔へと変更される案内時刻における前記移動体の位置を表示する際に、前記表示装置（１５）における画像の切り替えを一定時間停止する。
上記構成を有する情報提供システムによれば、案内時刻の設定時間間隔が短くなる直前に表示装置における画像の更新が一定時間停止されることとなる。それによって、移動体の予測位置において天気が変化する直前の天気画像をユーザに確実に視認させるとともに、これから天気の移り変わりについて詳細な内容を開始することをユーザに予告することが可能となる。
【００８９】
また、第４の構成は以下のとおりである。
前記天気変化時刻特定手段（４１）は、前記位置予測手段（４１）により予測された前記移動体の各位置において前記移動体が到達する時刻の天気情報を取得し、取得された前記天気情報に基づいて特定される天気を経時順に配列した場合に、天気が変化する時刻を前記天気変化時刻に特定する。
上記構成を有する情報提供システムによれば、今後の移動体の位置において天気が変化する時刻、即ち移動体が天気の変化に遭遇すると予想される時刻を天気情報から正確に特定することが可能となる。
【００９０】
また、第５の構成は以下のとおりである。
前記地図画像表示手段（４１）によって表示される前記移動体の位置の天気が天候不順である場合に、前記移動体の位置周辺にある施設を案内する施設案内手段（４１）を有する。
上記構成を有する情報提供システムによれば、ユーザは天候が悪化する状況での運転を回避する為に立ち寄るべき施設を把握することが可能となる。
【００９１】
また、第６の構成は以下のとおりである。
前記施設案内手段（４１）は、前記移動体の位置周辺にある施設の内、屋内型の施設を案内対象とする。
上記構成を有する情報提供システムによれば、ユーザは天候が悪化する状況での運転を回避するとともに、天候に左右されることなく滞在可能な施設を把握することが可能となる。
【符号の説明】
【００９２】
１              情報提供システム
２              情報管理センタ
３              情報サーバ
４              ユーザ
５              ナビゲーション装置
８              天気情報ＤＢ
１５            液晶ディスプレイ
４１            ＣＰＵ
４２            ＲＡＭ
４３            ＲＯＭ
５０            経路案内画面
５１            地図画像
５２            走行予定経路
５９            車両の予測位置
６０            天気画像
【図１】
2017083278.tif 000003
【図２】
2017083278.tif 000004
【図３】
2017083278.tif 000005
【図４】
2017083278.tif 000006
【図５】
2017083278.tif 000007
【図６】
2017083278.tif 000008
【図７】
2017083278.tif 000009
【図８】
2017083278.tif 000010
【図９】
2017083278.tif 000011
【図１０】
2017083278.tif 000012
【図１１】
2017083278.tif 000013
【図１２】
2017083278.tif 000014
【図１３】
2017083278.tif 000015
【図１４】
2017083278.tif 000016